(57)【要約】【課題】様々な用途に用いることができる野縁取付金具を提供する。【解決手段】野縁部材１、１Ａに取り付ける野縁取付金具７であって、金具本体８と、前記金具本体８に立設された雄螺子部１５と、前記野縁部材１、１Ａの長手方向に沿って形成された溝部に取付可能な野縁取付部１０、１２と、を備えたことにより、野縁部材１、１Ａ間に架設された横杆部材６を所望の水平向きに変更可能としたり、様々な用途に用いることができる野縁取付金具７を提供することができる。【選択図】図１
2019135372.tif 000002
【特許請求の範囲】
【請求項１】
野縁部材に取り付ける野縁取付金具であって、
金具本体と、
前記金具本体に立設された雄螺子部と、
前記野縁部材の長手方向に沿って形成された溝部に取付可能な野縁取付部と、
を備えたことを特徴とする野縁取付金具。
【請求項２】
野縁部材に取り付ける野縁取付金具であって、
金具本体と、
前記金具本体が有する貫通部と、
前記野縁部材の長手方向に沿って形成された溝部に取付可能な野縁取付部と、
を備えたことを特徴とする野縁取付金具。
【請求項３】
前記貫通部に雄螺子部を螺着可能な雌螺子部を備えたことを特徴とする請求項２記載の野縁取付金具。
【請求項４】
前記野縁部材間に架設された横杆部材を備え、
前記雄螺子部は、前記横杆部材を前記野縁部材に水平方向へ回動自在に連結する連結部としたことを特徴とする請求項１又は３に記載の野縁取付金具。
【請求項５】
前記野縁取付部は、
異なる幅寸法の前記溝部を有する前記野縁部材に対応して、
幅広な前記溝部に係合可能な幅広側係止部と、
幅狭な前記溝部に係合可能な幅狭側係止部とを備え、
前記幅広側係止部を、方形状の金具本体の対向する一対の両端部より立ち上げられ、幅広な前記溝部に挿入可能とし、幅広な前記溝部の内面に前記野縁部材の長手方向に沿って係合可能に設けられ、前記野縁部材を幅広な前記溝部に沿ってスライド自在に保持するものとし、
前記幅狭側係止部を、前記金具本体に前記幅広側係止部間に立ち上げられ、且つ前記幅広側係止部間の間隔より幅狭に形成され、幅狭な前記溝部に挿入可能とし、幅狭な前記溝部の内面に前記野縁部材の長手方向に沿って係合可能に設けられ、前記野縁部材を幅狭な前記溝部に沿ってスライド自在に保持することを特徴とする請求項１〜４のいずれか１項に記載の野縁取付金具。
【請求項６】
前記野縁取付部は、
異なる幅寸法の前記溝部を有する前記野縁部材に対応して、
幅広な前記溝部に係合可能な幅広側係止部と、
幅狭な前記溝部に係合可能な幅狭側係止部とを備え、
前記幅広側係止部を、方形状の金具本体の対向する一対の両端部より立ち上げられ、幅広な前記溝部に挿入可能な一対の第１の立ち上げ部と、前記第１の立ち上げ部の先端を外側に折り曲げて幅広な前記溝部の内面に前記野縁部材の長手方向に沿って係合可能に設けられ、前記野縁部材を幅広な前記溝部に沿ってスライド自在に保持するものとし、
前記幅狭側係止部を、前記金具本体に前記幅広側係止部間に立ち上げられ、且つ前記幅広側係止部間の間隔より幅狭に形成され、幅狭な前記溝部に挿入可能な一対の第２の立ち上げ部と、前記第２の立ち上げ部の先端を外側に折り曲げて幅狭な前記溝部の内面に前記野縁部材の長手方向に沿って係合可能に設けられ、前記野縁部材を幅狭な前記溝部に沿ってスライド自在に保持することを特徴とする請求項１〜４のいずれか１項に記載の野縁取付金具。
【請求項７】
前記連結部は、前記横杆部材に装着する横杆取付金具を備え、
前記横杆取付金具に前記雄螺子部が挿通可能な貫通部を備えたことを特徴とする請求項４〜６のいずれか１項に記載の野縁取付金具。
【請求項８】
前記横杆取付金具は、前記横杆部材を前記野縁部材上でかさ上げするスペーサー部材を備えたことを特徴とする請求項７記載の野縁取付金具。
【請求項９】
前記横杆取付金具は、前記横杆部材を所定高さで保持する保持手段を備えたことを特徴とする請求項７又は８に記載の野縁取付金具。
【発明の詳細な説明】
【技術分野】
【０００１】
本発明は、野縁部材に取り付ける野縁取付金具に関する。
【背景技術】
【０００２】
従来、天井から吊下げ保持された野縁受部材と、当該野縁受部材の下部に固定された野縁部材と、当該野縁部材の下部に設置された天井パネルと、前記天井パネルに消火部が設置された消火機器とを備えた天井消火システムであって、前記消火機器は、前記野縁部材に架設された横杆部材に固定されるものがある（特許文献１参照）。
【先行技術文献】
【特許文献】
【０００３】
【特許文献１】特開２０１１−２５６６７７号公報
【発明の概要】
【発明が解決しようとする課題】
【０００４】
しかし、特許文献１では、横杆部材を野縁部材に対して直角にのみ取り付けることができず、野縁部材間に他の設備機器が設置されている場合に、他の天井裏の設備機器を避けて横杆部材を架設しなければならず、施工性に問題点があった。
【０００５】
そこで、本発明は、横杆部材を所望の水平向きに変更可能としたり、様々な用途に用いることができる野縁取付金具を提供することを目的とする。
【課題を解決するための手段】
【０００６】
請求項１の発明は、野縁部材に取り付ける野縁取付金具であって、金具本体と、前記金具本体に立設された雄螺子部と、前記野縁部材の長手方向に沿って形成された溝部に取付可能な野縁取付部と、を備えたことを特徴とする。
【０００７】
請求項２の発明は、野縁部材に取り付ける野縁取付金具であって、金具本体と、前記金具本体が有する貫通部と、前記野縁部材の長手方向に沿って形成された溝部に取付可能な野縁取付部と、を備えたことを特徴とする。
【０００８】
請求項３の発明は、前記貫通部に雄螺子部を螺着可能な雌螺子部を備えたことを特徴とする。
【０００９】
請求項４の発明は、前記野縁部材間に架設された横杆部材を備え、前記雄螺子部は、前記横杆部材を前記野縁部材に水平方向へ回動自在に連結する連結部としたことを特徴とする。
【００１０】
請求項５の発明は、前記野縁取付部は、異なる幅寸法の前記溝部を有する前記野縁部材に対応して、幅広な前記溝部に係合可能な幅広側係止部と、幅狭な前記溝部に係合可能な幅狭側係止部とを備え、前記幅広側係止部を、方形状の金具本体の対向する一対の両端部より立ち上げられ、幅広な前記溝部に挿入可能とし、幅広な前記溝部の内面に前記野縁部材の長手方向に沿って係合可能に設けられ、前記野縁部材を幅広な前記溝部に沿ってスライド自在に保持するものとし、前記幅狭側係止部を、前記金具本体に前記幅広側係止部間に立ち上げられ、且つ前記幅広側係止部間の間隔より幅狭に形成され、幅狭な前記溝部に挿入可能とし、幅狭な前記溝部の内面に前記野縁部材の長手方向に沿って係合可能に設けられ、前記野縁部材を幅狭な前記溝部に沿ってスライド自在に保持することを特徴とする。
【００１１】
請求項６の発明は、前記野縁取付部は、異なる幅寸法の前記溝部を有する前記野縁部材に対応して、幅広な前記溝部に係合可能な幅広側係止部と、幅狭な前記溝部に係合可能な幅狭側係止部とを備え、前記幅広側係止部を、方形状の金具本体の対向する一対の両端部より立ち上げられ、幅広な前記溝部に挿入可能な一対の第１の立ち上げ部と、前記第１の立ち上げ部の先端を外側に折り曲げて幅広な前記溝部の内面に前記野縁部材の長手方向に沿って係合可能に設けられ、前記野縁部材を幅広な前記溝部に沿ってスライド自在に保持するものとし、前記幅狭側係止部を、前記金具本体に前記幅広側係止部間に立ち上げられ、且つ前記幅広側係止部間の間隔より幅狭に形成され、幅狭な前記溝部に挿入可能な一対の第２の立ち上げ部と、前記第２の立ち上げ部の先端を外側に折り曲げて幅狭な前記溝部の内面に前記野縁部材の長手方向に沿って係合可能に設けられ、前記野縁部材を幅狭な前記溝部に沿ってスライド自在に保持することを特徴とする。
【００１２】
請求項７の発明は、前記連結部は、前記横杆部材に装着する横杆取付金具を備え、前記横杆取付金具に前記雄螺子部が挿通可能な貫通部を備えたことを特徴とする。
【００１３】
請求項８の発明は、前記横杆取付金具は、前記横杆部材を前記野縁部材上でかさ上げするスペーサー部材を備えたことを特徴とする。
【００１４】
請求項９の発明は、前記横杆取付金具は、前記横杆部材を所定高さで保持する保持手段を備えたことを特徴とする。
【発明の効果】
【００１５】
請求項１の発明によれば、様々な用途に用いることができる野縁取付金具を提供することができる。
【００１６】
請求項２の発明によれば、様々な用途に用いることができる野縁取付金具を提供することができる。
【００１７】
請求項３の発明によれば、貫通部に雄螺子部材を螺着することが可能となり、さらに様々な用途に用いることができる。
【００１８】
請求項４の発明によれば、横杆部材を所望の水平向きに変更可能な野縁取付金具を提供することができる。また、簡単な構造で横杆部材を野縁部材に対して可動自在に連結することができる。
【００１９】
請求項５の発明によれば、様々な幅寸法の野縁部材に対応可能な野縁取付金具を提供することができる。
【００２０】
請求項６の発明によれば、様々な幅寸法の野縁部材に対応可能な野縁取付金具を提供することができる。
【００２１】
請求項７の発明によれば、雄螺子部に対する横杆部材の回動自在とする構造を簡単な構造とすることができる。
【００２２】
請求項８の発明によれば、各種設備の取付位置の高さを容易に調節することができる。
【００２３】
請求項９の発明によれば、横杆部材を任意の高さに保持することができる。
【図面の簡単な説明】
【００２４】
【図１】本発明の第１実施例における野縁取付金具の使用状態を示す斜視図である。
【図２】同上、横杆取付金具を互いに異なる向きで横杆部材に取り付けた状態の野縁取付金具の使用状態を示す斜視図である。
【図３】同上、横杆部材を野縁部材に対して斜めに架設した状態の野縁取付金具の使用状態を示す斜視図である。
【図４】同上、野縁取付金具の分解斜視図である。
【図５】同上、横杆取付金具の別の実施形態を示す斜視図である。
【図６】本発明の第２実施例における野縁取付金具の使用状態を示す斜視図である。
【図７】同上、横杆部材を野縁部材に対して斜めに架設した状態の野縁取付金具の使用状態を示す斜視図である。
【図８】同上、野縁取付金具の分解斜視図である。
【図９】本発明の第３実施例における野縁取付金具の使用状態を示す斜視図である。
【図１０】同上、横杆部材を野縁部材に対して斜めに架設した状態の野縁取付金具の使用状態を示す斜視図である。
【図１１】同上、野縁取付金具の分解斜視図である。
【図１２】本発明の第４実施例における野縁取付金具の使用状態を示す斜視図である。
【図１３】同上、横杆部材を野縁部材に対して斜めに架設した状態の野縁取付金具の使用状態を示す斜視図である。
【図１４】本発明の第５実施例における野縁取付金具の使用状態を示す斜視図である。
【図１５】同上、野縁取付金具及び横杆取付金具の分解斜視図である。
【図１６】本発明の第６実施例における野縁取付金具の使用状態を示す斜視図である。
【図１７】同上、ワイヤー部材において、図１６とは設備機器への異なる取付状態を示す斜視図である。
【図１８】本発明の第７実施例における野縁取付金具の使用状態を示す斜視図である。
【図１９】本発明の第８実施例における野縁取付金具の使用状態を示す斜視図である。
【図２０】同上、ワイヤー部材において、図１９とは設備機器への異なる取付状態を示す斜視図である。
【図２１】本発明の第９実施例における野縁取付金具の使用状態を示す斜視図である。
【図２２】本発明の第１０実施例における野縁取付金具の使用状態を示す斜視図である。
【図２３】本発明の第１１実施例における野縁取付金具の使用状態を示す斜視図である。
【図２４】本発明の第１２実施例における野縁取付金具の使用状態を示す斜視図である。
【図２５】同上、野縁取付金具及び横杆取付金具の分解斜視図である。
【図２６】同上、横杆取付金具を開いた状態を示す断面図である。
【図２７】同上、横杆取付金具を閉じた状態を示す断面図である。
【図２８】本発明の第１３実施例における野縁取付金具の使用状態を示す斜視図である。
【図２９】同上、野縁取付金具の斜視図である。
【図３０】同上、野縁取付金具の別の実施形態を示す斜視図である。
【図３１】本発明の第１４実施例における野縁取付金具の使用状態を示す断面図である。
【図３２】同上、図３１とは異なる使用状態を示す断面図である。
【図３３】同上、野縁取付金具の別の実施形態を示す断面図である。
【図３４】本発明の野縁取付金具における雄螺子部の別の実施形態を示す断面図である。
【図３５】同上、雄螺子部の更に別の実施形態を示す断面図である。
【図３６】同上、雄螺子部の更に異なる実施形態を示す断面図である。
【発明を実施するための最良の形態】
【００２５】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例１】
【００２６】
図１〜図５は本発明の実施例１を示すものであり、本実施例の吊り天井構造の一例を説明すると、断面略Ｃ形状の溝形鋼からなる複数の野縁部材１と、上部構造体としてのコンクリート下地等の上階床スラブや屋根構造物より垂設された垂設部材としての吊りボルト（図示せず）にハンガー（図示せず）を介して接続された断面略Ｃ形状の形鋼からなる野縁受け（図示せず）とを、取付金具（図示せず）を介して互いに直交させて一体化して天井下地材を形成し、野縁部材１の下面に石膏ボード、コンパネ、スパンドレル等の金属化粧板等の板材からなる天井材をビス等によって取り付けて構成するものである。
【００２７】
本実施例では、長手方向（図中、Ｘ方向）と水平方向に直交する方向である短手方向（図中、Ｙ方向）の幅Ｈ１,Ｈ２の異なる２種類の野縁部材１として、幅を小さく設定された幅狭な野縁部材１Ａと、幅を大きく設定された幅広な野縁部材（図示せず）と、を用いる。ここで、幅広な野縁部材の幅Ｈ２は、幅狭な野縁部材１Ａの幅Ｈ１の約２倍の大きさに設定されている。
【００２８】
ここで本実施例の特徴として、スプリンクラーヘッド２を先端に備え、蛇腹管（フレキシブル管）３に接続されたスプリンクラー等の消火機器４を取付金具５を介して固定する断面矩形状の横杆部材６を野縁部材１に固定する野縁取付金具７を備えている。尚、取付金具５は絶縁部材３Ａを介して蛇腹管（フレキシブル管）３に取り付けられている。
【００２９】
ここで、野縁取付金具７は、長手方向に沿って幅広な溝部が形成された断面略倒Ｃ形状の形鋼からなる幅広な野縁部材又は同じく幅狭な溝部が形成された幅狭な野縁部材１Ａに取付られるものである。そして天井材の種類や天井の下地強度などに応じて幅広な野縁部材と幅狭な野縁部材１Ａが適宜使用されるようになっている。
【００３０】
野縁取付金具７では、平面がほぼ矩形状に形成されたステンレス鋼、アルミニウム等の金属製の薄板からなる金具本体８は、直交する一方の幅Ｗ１の長さが、直交する他方の幅Ｗ２の長さよりも長く形成されている（Ｗ１＞Ｗ２）。一方の幅Ｗ１は第１の幅Ｈ１よりわずかに小さく、また他方の幅Ｗ２は第２の幅Ｈ２よりわずかに小さく形成されている。そして、一方の幅Ｗ１の両端部にそれぞれ設けられる金具本体８の第１の縁部９の長手方向に沿って第１の野縁取付部１０が設けられる。この第１の野縁取付部１０は、幅広な野縁部材の幅広な溝部の幅方向両側に設けられ断面略逆Ｊ型に形成された野縁縁部と係合可能に設けられている。他方の幅Ｗ２の両端部にそれぞれ設けられる金具本体８の後述する第２の縁部１１の長手方向に沿って第２の野縁取付部１２が設けられる。第２の野縁取付部１２は、幅狭な野縁部材１Ａの幅狭な溝部の幅方向両側に設けられ断面略逆Ｊ型に形成された野縁縁部と係合可能に設けられている。
【００３１】
第１の野縁取付部１０は、金具本体８の対向する第１の縁部９より外向き斜め上方に突設して、幅広な溝部の両側の野縁縁部の内面に長手方向（図中、Ｘ方向）に沿って係合可能に設けられ、幅広な野縁部材を幅広な溝部に沿ってスライド自在に保持する一対の第１の係止部１３が設けられている。
【００３２】
同様に、第２の野縁取付部１２は、金具本体８の対向する第２の縁部１１より外向き斜め上方に突設して、幅狭な溝部の両側の野縁縁部の内面に長手方向（図中、Ｙ方向）に沿って係合可能に設けられ、幅狭な野縁部材１Ａを幅狭な溝部に沿ってスライド自在に保持する一対の第２の係止部１４が設けられている。
【００３３】
金具本体８の略中央部分には、雄螺子部１５を立設している。この雄螺子部１５に横杆取付金具１６を介して横杆部材６を装着している。
【００３４】
横杆取付金具１６は、横杆部材６の一側側面、上面、他側側面、下面の順に連続して囲うように保持する保持部１７と、保持部１７の一側側面側に備えた一方の開放片１８と、保持部１７の下面側に備えた他方の開放片１９とを備えている。一方の開放片１８と他方の開放片１９は、横杆部材６の長手方向に対して少なくとも幅広な野縁部材の幅より大きく形成されている。保持部１７は、一側側面部１７Ａ、上面部１７Ｂ、他側側面部１７Ｃ、下面部１７Ｄを備え、上面部１７Ｂと他側側面部１７Ｃの境には、加締め用の切欠部１７Ｅを備えている。
【００３５】
一方の開放片１８と他方の開放片１９は互いに当接可能に設けられており、互いに連通する貫通孔２０、２１を備えている。貫通孔２０、２１は、雄螺子部１５が挿通可能な径に設けられている。保持部１７の開閉については、図４に示すような加締めによるものと、図５に示すように上面部１７Ｂと他側側面部１７Ｃの境にヒンジ１７Ｆを備えたヒンジ方式のどちらでもよいものとする。
【００３６】
そして、本実施例では、雄螺子部１５と横杆取付金具１６が、野縁取付金具７を横杆部材６を野縁部材１に水平方向へ回動自在に連結する連結部２２となっている。
【００３７】
尚、本実施例では、消火機器４の取付位置をかさ上げするスペーサー部材２３を横杆部材６の上部に配置して、このスペーサー部材２３に取付金具５を介して消火機器４を備えている。スペーサー部材２３を備えたことで、蛇腹管（フレキシブル管）３に備えた既存の絶縁部材３Ａをそのままの位置で使用することができる。
【００３８】
スペーサー部材２３は、スペーサー取付金具２３Ａを介して横杆部材６上に設置されている。スペーサー取付金具２３Ａは、互いに離間した状態で垂直方向と平行に形成された一対の側面部２３Ｂ、２３Ｃと、側面部２３Ｂ、２３Ｃの下部を連結し水平方向と平行に形成された底面部２３Ｄとを備え、上方を開放した略コ型状に折り曲げ形成された金属板からなり、側面部２３Ｂ、２３Ｃの上下方向における中間部分には内側に向けて突設した凸部２３Ｅを備えている。スペーサー取付金具２３Ａの内部では、横杆部材６が側面部２３Ｂ、２３Ｃと底面部２３Ｄによって保持され、スペーサー部材２３が凸部２３Ｅと側面部２３Ｂ、２３Ｃによって保持される。また、側面部２３Ｂ、２３Ｃの上部にはそれぞれ貫通部２３Ｆ、２３Ｇを備えており、この貫通部２３Ｅ、２３Ｆを連通する雄螺子部材２３Ｈにナット２３Ｋを螺着してスペーサー部材２３が側面部２３Ｂ、２３Ｃの上部から離脱するのを防ぐことができる構造となっている。凸部２３Ｅによって、スペーサー部材２３は横杆部材６に対して、隙間６Ａを有して載置されており、この隙間６Ａに既存のスプリンクラー取付用の取付金具５の突起５Ａが挿通可能な構成となっている。
【００３９】
以上の構成の野縁取付金具７を用いた横杆部材６の野縁部材１への架設方法について説明する。横杆部材６に装着された横杆取付金具１６の貫通孔２０、２１にそれぞれ雄螺子部１５を挿通した状態で、横杆部材６の水平向きを所望の角度にし、雄螺子部１５にナット２４を螺着していき、野縁取付金具７を横杆取付金具１６に対して相対的に上昇させて、他方の開放片１９と第２の係止部１４によって野縁縁部を上下方向から把持して、横杆部材６を野縁部材１に回動自在に取り付ける。
【００４０】
本実施例は、野縁部材１、１Ａに取り付ける野縁取付金具７であって、金具本体８と、前記金具本体８に立設された雄螺子部１５と、前記野縁部材１、１Ａの長手方向に沿って形成された溝部に取付可能な野縁取付部１０、１２と、を備えたことにより、様々な用途に用いることができる野縁取付金具７を提供することができる。
【００４１】
また、本実施例は、天井から吊下げ保持された野縁部材１と、前記野縁部材１、１間に架設された横杆部材６と、前記横杆部材６に設置された各種設備としての消火機器４とを備えた天井構造において、前記横杆部材６を前記野縁部材１に回動自在に取り付ける野縁取付金具７であって、前記野縁取付金具７は、前記野縁部材１の長手方向に沿って形成された溝部に取付可能な野縁取付部１０、１２と、前記横杆部材６を前記野縁部材１に水平方向へ回動自在に連結する連結部２２とを備えたことにより、横杆部材６を所望の水平向きに変更可能な野縁取付金具７を提供することができる。
【００４２】
また、本実施例は、前記野縁取付部１０、１２は、異なる幅寸法の前記溝部を有する前記野縁部材１に対応して、幅広な前記溝部に係合可能な幅広側係止部としての第１の係止部１３と、幅狭な前記溝部に係合可能な幅狭側係止部としての第２の係止部１４とを備え、前記第１の係止部１３を、方形状の金具本体８の対向する一対の両端部より立ち上げられ、幅広な前記溝部に挿入可能とし、幅広な前記溝部の内面に前記野縁部材１の長手方向に沿って係合可能に設けられ、前記野縁部材１を幅広な前記溝部に沿ってスライド自在に保持するものとし、前記第２の係止部１４を、前記金具本体８に前記第１の係止部１３、１３間に立ち上げられ、且つ前記第１の係止部１３、１３間の間隔より幅狭に形成され、幅狭な前記溝部に挿入可能とし、幅狭な前記溝部の内面に前記野縁部材１の長手方向に沿って係合可能に設けられ、前記野縁部材１を幅狭な前記溝部に沿ってスライド自在に保持することにより、様々な幅寸法の野縁部材１に対応可能な野縁取付金具７を提供することができる。
【００４３】
また、本実施例は、連結部２２は、前記金具本体８に立設された雄螺子部１５を備えたことにより、簡単な構造で横杆部材６を野縁部材１に対して可動自在に連結することができる。
【００４４】
また、本実施例は、前記連結部２２は、前記横杆部材６に装着する横杆取付金具１６を備え、前記横杆取付金具１６に前記雄螺子部１５が挿通可能な貫通部２０、２１を備えたことにより、雄螺子部１５に対する横杆部材６の回動自在とする構造を簡単な構造とすることができる。
【００４５】
また、本実施例は、前記横杆取付金具１６は、前記横杆部材６を前記野縁部材１上でかさ上げするスペーサー部材２３を備えたことにより、各種設備の取付位置の高さを容易に調節することができる。
【実施例２】
【００４６】
次に図６〜図８は、本発明の第２実施例を示すものである。同図において、図１〜図５と同一部分には同一符号を付し、その共通する部分の詳細な説明は省略する。本実施例は、横杆取付金具１６の保持部１７は、スペーサー部材２３の上部に横杆部材６を載置した状態で、横杆部材６とスペーサー部材２３を同時に保持可能な形状とするため、一側側面部１７Ａと他側側面部１７Ｃを横杆部材６とスペーサー部材２３を上下に重ねた寸法より大きく形成している。尚、横杆部材６とスペーサー部材２３は保持部１７にビス等により固定されていることが好ましい。
【００４７】
本実施例では、横杆取付金具１６は、横杆部材６とスペーサー部材２３を同時に保持可能としているため、横杆部材６とスペーサー部材２３を一体に固定する金具を別途用意する必要が無く、部品点数の削減とともに施工性の向上を図ることができる。
【実施例３】
【００４８】
次に図９及び図１１は、本発明の第３実施例を示すものである。同図において、図１〜図８と同一部分には同一符号を付し、その共通する部分の詳細な説明は省略する。本実施例の第１の野縁取付部１０は、金具本体８の対向する第１の縁部９より下方へ垂直に立ち上げられ、幅広な溝部に挿入可能な一対の第１の立ち上げ部９Ａと、第１の立ち上げ部９Ａより外向き斜め上方に突設して、幅広な溝部の両側の野縁縁部の内面に長手方向（図中、Ｘ方向）に沿って係合可能に設けられ、幅広な野縁部材を幅広な溝部に沿ってスライド自在に保持する一対の第１の係止部１３が設けられている。
【００４９】
また、第２の野縁取付部１２は、金具本体８の対向する第２の縁部１１より下方へ垂直に立ち上げられ、幅狭な溝部に挿入可能な一対の第２の立ち上げ部１１Ａと、第２の立ち上げ部１１Ａより外向き斜め上方に突設して、幅狭な溝部の両側の野縁縁部の内面に長手方向（図中、Ｙ方向）に沿って係合可能に設けられ、幅狭な野縁部材１Ａを幅狭な溝部に沿ってスライド自在に保持する一対の第２の係止部１４が設けられている。
【００５０】
本実施例は、前記野縁取付部１０、１２は、異なる幅寸法の前記溝部を有する前記野縁部材１に対応して、幅広な前記溝部に係合可能な幅広側係止部としての第１の係止部１３と、幅狭な前記溝部に係合可能な幅狭側係止部としての第２の係止部１４とを備え、前記第１の係止部１３を、方形状の金具本体８の対向する一対の両端部より立ち上げられ、幅広な前記溝部に挿入可能な一対の第１の立ち上げ部９Ａと、前記第１の立ち上げ部９Ａの先端を外側に折り曲げて幅広な前記溝部の内面に前記野縁部材１の長手方向に沿って係合可能に設けられ、前記野縁部材１を幅広な前記溝部に沿ってスライド自在に保持するものとし、前記第２の係止部１４を、前記金具本体８に前記第１の係止部１３、１３間に立ち上げられ、且つ前記第１の係止部１３、１３間の間隔より幅狭に形成され、幅狭な前記溝部に挿入可能な一対の第２の立ち上げ部１１Ａと、前記第２の立ち上げ部１１Ａの先端を外側に折り曲げてとし、幅狭な前記溝部の内面に前記野縁部材１の長手方向に沿って係合可能に設けられ、前記野縁部材１を幅狭な前記溝部に沿ってスライド自在に保持することにより、様々な幅寸法の野縁部材１に対応可能な野縁取付金具７を提供することができる。
【実施例４】
【００５１】
次に図１２及び図１３は、本発明の第４実施例を示すものである。同図において、図１〜図１１と同一部分には同一符号を付し、その共通する部分の詳細な説明は省略する。本実施例では、野縁取付金具７を野縁部材１に装着し、水平向きを所望の角度にした横杆部材６に雄螺子部１５が挿通可能な貫通孔２５を上面と下面に連通させて形成し、貫通孔２５に挿通させた雄螺子部１５にナット２４を螺着していき、野縁取付金具７を横杆部材６に対して相対的に上昇させて、横杆部材６と第２の係止部１４によって野縁縁部を上下方向から把持して、横杆部材６を野縁部材１に回動自在に取り付ける。
【００５２】
本実施例では、野縁取付金具７単独で横杆部材６を野縁部材１に回動自在に取り付けることができるため、部品点数の削減により、施工性の向上を図ることができる。
【実施例５】
【００５３】
次に図１４及び図１５は、本発明の第５実施例を示すものである。同図において、図１〜図１３と同一部分には同一符号を付し、その共通する部分の詳細な説明は省略する。本実施例では、実施例２の保持部１７において、一側側面部１７Ａの両側から内側に突出して形成された一側突出部１７Ｆと、他側側面部１７Ｃの両側から内側に突出して形成された他側突出部１７Ｇとを備えている。ここで、上面部１７Ｂから一側突出部１７Ｆまでの寸法Ｌ１は、横杆部材６の上下寸法Ｌ０とほぼ等しく、同様に上面部１７Ｂから他側突出部１７Ｇまでの寸法Ｌ２は、横杆部材６の上下寸法Ｌ０とほぼ等しく形成されている。
【００５４】
本実施例では、保持部１７内において、横杆部材６が一側突出部１７Ｆ及び他側突出部１７Ｇに載置されたことにより、横杆部材６がかさ上げされ、各種設備の取付位置の高さを容易に調節することができるので、蛇腹管（フレキシブル管）３に備えた既存の絶縁部材３Ａをそのままの位置で使用することができる。本実施例では、スペーサー部材２３を用いることなく、横杆部材６をかさ上げすることが可能となり、部品点数の削減とともに施工性の向上を図ることができる。
【００５５】
本実施例の横杆取付金具１６は、横杆部材６を所定高さで保持する保持手段として一側突出部１７Ｆ及び他側突出部１７Ｇを備えたことにより、横杆部材６を任意の高さに保持することができる。
【実施例６】
【００５６】
次に図１６及び図１７は、本発明の第６実施例を示すものである。同図において、図１〜図１５と同一部分には同一符号を付し、その共通する部分の詳細な説明は省略する。本実施例では、横杆部材６と設備機器Ｓとをワイヤー部材２６によって連結している。ワイヤー部材２６は、ワイヤー本体２７の両端にそれぞれ一側環状部２８と他側環状部２９を備えている。
【００５７】
そして、本実施例のワイヤー部材２６は、一側環状部２８を横杆部材６にくくり付け、他側環状部２９を設備機器Ｓに取り付けるものである。他側環状部２９の設備機器Ｓへの取り付けは、図１６に示すように設備機器Ｓに取付穴３０を設け、この取付穴３０に他側環状部２９を直接接続してもよいし、図１７に示すように取付穴３０に他側環状部２９がくくり付けられた鐶等の環状の金属製部品からなる環状部材３１を取り付けて、環状部材３１を介して他側環状部２９を設備機器Ｓに取り付けてもよいものとする。
【００５８】
本実施例では、横杆部材６と設備機器Ｓとをワイヤー部材２６によって連結することで、設備機器Ｓが天井から落下しようとしても、ワイヤー部材２６によって設備機器Ｓが横杆部材６に吊り下げられることで、設備機器Ｓの落下が防止されるもので、簡単な構成で設備機器Ｓの落下を防止することができる。
【実施例７】
【００５９】
次に図１８は、本発明の第７実施例を示すものである。同図において、図１〜図１７と同一部分には同一符号を付し、その共通する部分の詳細な説明は省略する。本実施例では、野縁取付金具７と設備機器Ｓとをワイヤー部材２６によって連結している。本実施例では、野縁部材１の上部から両側壁にかけて上方から嵌合可能な押さえ部材３２を備えることによって、押さえ部材３２と野縁取付金具７とによって、野縁部材１の野縁縁部を上下方向から把持する構成となっている。
【００６０】
押さえ部材３２は、水平面部３３と、水平面部３３の一端を垂直下向きに延設した一側側面部３４と、水平面部３３の他端を垂直下向きに延設した他側側面部３５とを備えた略コ字型の金属板からなり、水平面部３３の中央部分に雄螺子部１５が挿通可能な貫通孔３６を備えている。一側側面部３４と他側側面部３５はビス３７等によって野縁部材１の両側壁に固定される。
【００６１】
本実施例では、野縁取付金具７を野縁部材１に装着し、野縁部材１に上方から嵌合した押さえ部材３２の貫通孔３６に雄螺子部１５を挿通させて、雄螺子部１５にアイナット３８を螺着していき、野縁取付金具７を横杆部材６に対して相対的に上昇させて、押さえ部材３２と第２の係止部１４によって野縁縁部を上下方向から把持して、野縁取付金具７を野縁部材１に取り付ける。
【００６２】
そして、本実施例のワイヤー部材２６は、一側環状部２８をアイナット３８の環状部３９にくくり付け、他側環状部２９を設備機器Ｓに取り付けるものである。他側環状部２９の設備機器Ｓへの取り付けは、図１８に示すように設備機器Ｓに取付穴３０を設け、この取付穴３０に他側環状部２９を直接接続してもよいし、図１７に示すように取付穴３０に他側環状部２９がくくり付けられた鐶等の環状の金属製部品からなる環状部材３１を取り付けて、環状部材３１を介して他側環状部２９を設備機器Ｓに取り付けてもよいものとする。
【００６３】
本実施例では、野縁取付金具７と設備機器Ｓとをワイヤー部材２６によって連結することで、設備機器Ｓが天井材から離脱して落下しようとしても、ワイヤー部材２６によって設備機器Ｓが野縁部材１に吊り下げられることで、設備機器Ｓの落下が防止されるもので、簡単な構成で設備機器Ｓの落下を防止することができる。
【実施例８】
【００６４】
次に図１９及び図２０は、本発明の第８実施例を示すものである。同図において、図１〜図１９と同一部分には同一符号を付し、その共通する部分の詳細な説明は省略する。本実施例では、横杆部材６と天井点検口４０の枠体４１と扉体４２とをワイヤー部材２６によって連結している。尚、天井点検口４０は、野縁部材１ごと天井材を切断して形成された矩形の開口部４３に嵌合された矩形の金属フレームからなる枠体４１と、枠体４１にヒンジ部４４を介して回動自在に備え、開口部４３を開閉する扉体４２からなる。
【００６５】
そして、本実施例のワイヤー部材２６は、一側環状部２８を横杆部材６にくくり付け、他側環状部２９を天井点検口４０の枠体４１と扉体４２に取り付けるものである。他側環状部２９の天井点検口４０の枠体４１と扉体４２への取り付けは、図１９に示すように天井点検口４０の枠体４１と扉体４２に取付穴４５、４６を設け、この取付穴４５、４６に他側環状部２９を直接接続してもよいし、図２０に示すように取付穴４５、４６に他側環状部２９がくくり付けられた鐶等の環状の金属製部品からなる環状部材４７、４８を取り付けて、環状部材４７、４８を介して他側環状部２９を天井点検口４０の枠体４１と扉体４２に取り付けてもよいものとする。
【００６６】
本実施例では、横杆部材６と天井点検口４０の枠体４１と扉体４２とをワイヤー部材２６によって連結することで、天井点検口４０の枠体４１と扉体４２が天井材から離脱して落下しようとしても、ワイヤー部材２６によって天井点検口４０の枠体４１と扉体４２が横杆部材６に吊り下げられることで、天井点検口４０の枠体４１と扉体４２の落下が防止されるもので、簡単な構成で天井点検口４０の枠体４０と扉体４１の落下を防止することができる。
【００６７】
また、本実施例では、横杆部材６によって、天井点検口４０の開口部４３を形成する際に切断された野縁部材１同士が連結されることにより、天井下地材の補強をすることができる。
【実施例９】
【００６８】
次に図２１は、本発明の第９実施例を示すものである。同図において、図１〜図２０と同一部分には同一符号を付し、その共通する部分の詳細な説明は省略する。本実施例の天井点検口４０の開口部４３は、野縁部材１、１Ａと横杆部材６に囲まれた範囲内で天井材を切断して形成されている。
【００６９】
本実施例では、横杆部材６と天井点検口４０の枠体４１と扉体５２とをワイヤー部材２６によって連結するとともに、野縁取付金具７と天井点検口４０の枠体４１と扉体４２とをワイヤー部材２６によって連結している。
【００７０】
本実施例のワイヤー部材２６は、一側環状部２８を横杆部材６及びアイナット３８の環状部３９にくくり付け、他側環状部２９を天井点検口４０の枠体４１と扉体４２に取り付けるものである。他側環状部２９の天井点検口４０の枠体４１と扉体４２への取り付けは、図２１に示すように天井点検口４０の枠体４１と扉体４２に取付穴４５、４６を設け、この取付穴４５、４６に他側環状部２９を直接接続してもよいし、図２０に示すように取付穴４５、４６に他側環状部２９がくくり付けられた鐶等の環状の金属製部品からなる環状部材４７、４８を取り付けて、環状部材４７、４８を介して他側環状部２９を天井点検口４０の枠体４１と扉体４２に取り付けてもよいものとする。
【００７１】
本実施例では、横杆部材６及びアイナット３８の環状部３９と天井点検口４０の枠体４１と扉体４２とをワイヤー部材２６によって連結することで、天井点検口４０の枠体４１と扉体４２が天井材から離脱して落下しようとしても、ワイヤー部材２６によって天井点検口４０の枠体４１と扉体４２が横杆部材６及び野縁部材１に吊り下げられることで、天井点検口４０の枠体４１と扉体４２の落下が防止されるもので、簡単な構成で天井点検口４０の枠体４１と扉体４２の落下を防止することができる。
【実施例１０】
【００７２】
次に図２２は、本発明の第１０実施例を示すものである。同図において、図１〜図２１と同一部分には同一符号を付し、その共通する部分の詳細な説明は省略する。本実施例では野縁取付金具の異なる使用状態について説明する。本実施例は、雄螺子部１５にアイナット４９を螺着して、野縁取付金具７を野縁部材１に回動自在に取り付けた状態で、ワイヤー部材２６の一側環状部２８を野縁受け５０にくくり付け、他側環状部２９をアイナット４９の環状部５１に取り付ける。
【００７３】
本実施例では、野縁受け５０と野縁部材１をワイヤー部材２６によって連結することで、野縁部材１が落下しようとしても、ワイヤー部材２６によって野縁部材１が野縁受け５０に吊り下げられることで、野縁部材１の落下が防止されるもので、簡単な構成で野縁部材１の落下を防止することができる。
【実施例１１】
【００７４】
次に図２３は、本発明の第１１実施例を示すものである。同図において、図１〜図２２と同一部分には同一符号を付し、その共通する部分の詳細な説明は省略する。本実施例では野縁取付金具の異なる使用状態について説明する。本実施例は、雄螺子部１５にアイナット４９を螺着した一対の野縁取付金具７を野縁受け５０を間に挟んだ状態で野縁部材１に取り付け、ワイヤー部材２６の一側環状部２９を一方のアイナット４９の環状部５１にくくり付け、他側環状部２９を他方のアイナット４９の環状部５１に取り付ける。
【００７５】
本実施例では、野縁受け５０を間に挟んだ状態で野縁部材１に取り付けられた一対の野縁取付金具７をワイヤー部材２６によって連結することで、野縁部材１が落下しようとしても、ワイヤー部材２６によって野縁部材１が野縁受け５０に吊り下げられることで、野縁部材１の落下が防止されるもので、簡単な構成で野縁部材１の落下を防止することができる。
【実施例１２】
【００７６】
次に図２４〜図２７は、本発明の第１２実施例を示すものである。同図において、図１〜図２３と同一部分には同一符号を付し、その共通する部分の詳細な説明は省略する。本実施例の横杆取付金具５２は、左右一対の開放片５３、５４からなり、一方の開放片５３と他方の開放片５４は基本形状がほぼ等しいため、以下の一方の開放片５３の説明を以て他方の開放片５４の説明を省略する。
【００７７】
図２５及び図２６に示すように、第１の開放片５３は、第１の基端部５５と、第１の基端部５５の一端を立ち上げて形成された第１の側壁部５６と、第１の側壁部５６の上端を略直角に折り曲げて形成された第１の上面部５７と、第１の上面部５７の一端を略垂直に立ち上げて形成された第１の立壁部５８とを備え、ステンレス鋼等の金属製の板材を折り曲げ形成したものである。第１の基端部５５の略中央部分には、雄螺子部１５が挿通可能な第１の貫通部５９を備えている。
【００７８】
図２５に示すように、第１の基端部５５と第１の側壁部５６の折り曲げ部分には、折り曲げ部分の折り目に沿って形成された複数の第１のスリット部６０が間隔を空けて設けられており、第１の基端部５５と第１の側壁部５６の折り曲げ部分は折り曲げやすい構造となっている。
【００７９】
図２６に示すように、第１の基端部５５と第１の側壁部５６の折り曲げ角度は鈍角となるように設けている。
【００８０】
図２５に示すように、第１の側壁部５６の上下方向略中間部分の両端には、第１の基端部５５、第１の側壁部５６及び第１の上面部５７によって囲まれた横杆部材６の収容空間Ｋに向けて突出した第１の突出部６１を備えている。第１の突出部６１は、上面の先端を下向きに傾斜した円弧状とした扇形状となっている。
【００８１】
尚、図２５及び図２６に示すように、他方の開放片５４は、一方の開放片５３の第１の基端部５５、第１の側壁部５６、第１の上面部５７、第１の立壁部５８、第１の貫通部５９、第１のスリット部６０および第１の突出部６１にそれぞれ対応する、第２の基端部６２、第２の側壁部６３、第２の上面部６４、第２の立壁部６５、第２の貫通部６６、第２のスリット部６７および第２の突出部６８を備えている。
【００８２】
ここで、図２７に示すように、第１の立壁部５８と第２の立壁部６５を固定する固定構造として、第１の立壁部５８の中央部分に設けた貫通孔６９と、第２の立壁部６５の中央部分に設けた螺子穴７０と、貫通孔６９に挿通された状態で螺子穴７０に螺着する雄螺子部材７１とを備えている。
【００８３】
また、図２６及び図２７に示すように、本実施例の野縁取付金具７における雄螺子部１５は、金具本体８の略中央部分に設けた螺子穴７２に金具本体８の下方から螺着されたボルトからなる。
【００８４】
以上の構成の野縁取付金具７と横杆取付金具５２を用いた横杆部材６の野縁部材１への架設方法について説明する。図２４及び図２６に示すように、野縁部材１の溝部に配置された野縁取付金具７の雄螺子部１５を、下方から一方の開放片５３の第１の貫通部５９と他方の開放片５４の第２の貫通部６６に連続して挿通した状態で、雄螺子部１５にナット２４を螺着していき、野縁取付金具７を横杆取付金具１６に対して相対的に上昇させて、第２の基端部６２と第２の係止部１４によって野縁縁部を上下方向から挟持して、横杆取付金具５２を野縁部材１に回動自在に取り付ける。ここで、図２６に示すように、第１の基端部５５と第１の側壁部５６の折り曲げ角度と第２の基端部６２と第２の側壁部６３の折り曲げ角度は、それぞれ鈍角となるように設けられているため、第１の基端部５５と第２の基端部６２を上下に重ねると、第１の立壁部５８と第２の立壁部６５に隙間が形成され、この隙間から横杆取付金具５２内部に横杆部材６を収容することができる。
【００８５】
続いて、図２７に示すように、一方の開放片５３と他方の開放片５４との間に横杆部材６を配置した状態で、第１の上面部５７と第２の上面部６４を近づけるように、それぞれ第１の基端部５５と第１の側壁部５６の折り曲げ部分と第２の基端部６２と第２の側壁部６３の折り曲げ部分で折り曲げていくと、横杆部材６は第１の上面部５７及び第２の上面部６４、第１の側壁部５６及び第２の側壁部６３、そして第１の突出部６１及び第２の突出部６８によって囲まれて保持される。そして、第１の立壁部５８と第２の立壁部６５を雄螺子部材７１で固定すると、横杆部材６が横杆取付金具５２に固定されると共に野縁部材１に対して回動自在に架設される。
【００８６】
ここで、第１の突出部６１及び第２の突出部６８は、上面の先端を下向きに傾斜した円弧状とした扇形状となっているため、第１の立壁部５８と第２の立壁部６５を近づけていき、第１の側壁部５６と第２の側壁部６３を閉じるように動作する際に、第１の突出部６１及び第２の突出部６８に載置された横杆部材６の下側の角が、第１の突出部６１と第２の突出部６８に引っ掛かりにくく、第１の突出部６１と第２の突出部６８の円弧状の上面を滑動するので、横杆部材６の保持動作を速やかに行うことができる。
【００８７】
また、図２７に示すように、横杆部材６が横杆取付部材５２に保持された状態において、横杆部材６の下側の角が第１の突出部６１と第２の突出部６８の円弧状の上面に食い込むように当接するため、横杆部材６をガタつきなく安定して保持することができる。
【００８８】
そして、図２７に示すように、野縁部材１に架設された横杆部材６、第１の立壁部５８と第２の立壁部６５の接合部分が、野縁取付金具７及び横杆取付金具５２の中心に配置された雄螺子部１５の軸芯Ｘ上に配置されており、横杆部材６の上下方向の動きに対する野縁取付金具７及び横杆取付金具５２の上下方向への強度を高めることができる。
【００８９】
横杆部材６が第１の突出部６０及び第２の突出部６７に載置されたことにより、横杆部材６がかさ上げされ、各種設備の取付位置の高さを容易に調節することができるので、蛇腹管（フレキシブル管）に備えた既存の絶縁部材をそのままの位置で使用することができる。本実施例では、スペーサー部材を用いることなく、横杆部材６をかさ上げすることが可能となり、部品点数の削減とともに施工性の向上を図ることができる。
【００９０】
本実施例の横杆取付金具１６は、横杆部材６を所定高さで保持する保持手段として第１の突出部６０及び第２の突出部６７を備えたことにより、横杆部材６を任意の高さに保持することができる。
【実施例１３】
【００９１】
次に図２８〜図３０は、本発明の第１３実施例を示すものである。同図において、図１〜図２７と同一部分には同一符号を付し、その共通する部分の詳細な説明は省略する。
本実施例では、図２８に示すように、野縁取付金具７３と天井裏から吊り下げられた吊りボルト７４はワイヤー部材７５によって連結されている。
【００９２】
図２９に示すように、本実施例の野縁取付金具７３は、金具本体８の略中央部分に貫通部である貫通孔７６を有しており、貫通孔７６には雌螺子部である螺子溝７６Ａが形成されている。
【００９３】
本実施例では、野縁部材１の上部から両側壁にかけて上方から嵌合可能な押さえ部材３２を備えることによって、押さえ部材３２と野縁取付金具７３とによって、野縁部材１の野縁縁部を上下方向から挟持する構成となっている。
【００９４】
ワイヤー部材７５は、一端にボルトを備えた雄螺子部７７と、他端に環状部７５Ａとを備えている。
【００９５】
本実施例では、図２８に示すように、野縁取付金具７３を野縁部材１に装着し、野縁部材１に上方から嵌合した押さえ部材３２の貫通孔３６に挿通されたワイヤー部材７５の雄螺子部７７を野縁取付金具７３の貫通孔７６に螺着していき、野縁取付金具７３を押さえ部材３２に対して相対的に上昇させて、押さえ部材３２と第２の係止部１４によって野縁縁部を上下方向から挟持して、野縁取付金具７３を野縁部材１に取り付ける。
【００９６】
そして、本実施例のワイヤー部材７５は、環状部７５Ａを取付金具７９を介して吊りボルト７４に取り付けるものである。
【００９７】
本実施例では、野縁取付金具７３と吊りボルト７４とをワイヤー部材７５によって連結することで、ワイヤー部材７５によって野縁取付金具７３を介して野縁部材１が吊り下げられることで、野縁部材１の落下が防止される。
【００９８】
尚、図３０に示すように、貫通孔７６の螺子溝７６Ａを廃し、貫通孔７６に螺子穴７８Ａが連通するように金具本体８の上面又は下面に溶接等でナット７８等を固定し、ナット７８の螺子穴７８Ａを金具本体８が有する貫通部としてもよいものとする。その場合、螺子穴７８Ａの内面が雌螺子部である。
【００９９】
また、ワイヤー部材７５の環状部７８の取り付け先は、吊りボルト７４に限定されるものではなく各種設備機器や天井裏の配管等としてもよいものとする。
【０１００】
以上のように本実施例では、野縁部材１に取り付ける野縁取付金具７３であって、金具本体８と、金具本体８に形成された貫通部としての貫通孔７６又は螺子穴７８Ａと、野縁部材１の長手方向に沿って形成された溝部に取付可能な野縁取付部１０、１２とを備えたことにより、様々な用途に用いることができる野縁取付金具７３を提供することができる。
【０１０１】
また、本実施例では、貫通孔７６に雄螺子部を螺着可能な雌螺子部７８を備えたことにより、貫通孔７６に雄螺子部材として雄螺子部７７を螺着することが可能となり、さらに様々な用途に用いることができる。
【実施例１４】
【０１０２】
次に図３１〜図３３は、本発明の第１４実施例を示すものである。同図において、図１〜図３０と同一部分には同一符号を付し、その共通する部分の詳細な説明は省略する。本実施例では、第１３実施例に記載の野縁取付金具７３の使用例として、図３１に示すように野縁取付金具７３と第１実施例に記載の横杆取付金具１６を用いた天井構造や、図３２に示すように第１２実施例に記載の横杆取付金具５２を用いた天井構造を示す。
【０１０３】
図３１及び図３２に示すように、いずれの天井構造においても、横杆取付金具１６の貫通部２０、２１や横杆取付金具５２の貫通部５９、６６に挿通されたボルト７９を野縁取付金具７３の貫通孔７６に螺着していき、野縁取付金具７３を横杆取付金具１６、５２に対して相対的に上昇させて、横杆取付金具１６、５２と第２の係止部１４によって野縁縁部を上下方向から挟持して、野縁取付金具７を野縁部材１に取り付ける。
【０１０４】
また、図３３に示すように、野縁取付金具７３における貫通孔７６の螺子溝７６Ａを廃し、横杆取付金具１６の貫通部２０、２１や横杆取付金具５２の貫通部５９、６６に挿通されたボルト７９を野縁取付金具７３の貫通孔７６に挿通し、野縁取付金具７３の下面側でナット８０に螺着して、野縁取付金具７３を横杆取付金具１６、５２に対して相対的に上昇させて、横杆取付金具１６、５２と第２の係止部１４によって野縁縁部を上下方向から挟持して、野縁取付金具７を野縁部材１に取り付ける構造としてもよい。
【０１０５】
本発明は上記各実施例に限定されるものではなく、本発明の要旨の範囲内において種々の変形実施が可能である。例えば、横杆部材に取り付ける設備機器は、消火機器に限らず、照明、音響等の各種設備機器としてもよいものとする。また、雄螺子部１５は、ボルトや、雄螺子部材を金具本体８に溶接、加締め等により固定したものに限定されるものではない。また、第１の野縁取付部１０、第２の野縁取付部１２の構成は、野縁取付金具７を野縁部材１に取付可能な構成であれば、特に限定されるものではない。また、各実施例における横杆取付金具１６の取付向きも図１及び図２に示すように適宜変更可能である。尚、図２のように、複数の横杆取付金具１６を横杆部材６に対して互いに異なる向きで取り付けることで、横杆部材６の上下方向の動きに対する野縁取付金具７及び横杆取付金具１６の変形を軽減することができる。また、図１６及び図１８において、設備機器Ｓは１カ所のみワイヤー部材２６で連結されているが、複数箇所を複数のワイヤー部材２６に連結されるものでもよい。また、図１９ではヒンジ部４４側の枠体４１及び扉体４２がワイヤー部材２６を介して図１９において右側の横杆部材６に連結されているが、図１９において枠体４１及び扉体４２の取付穴４５、４６が形成されていない箇所に取付穴４５、４６を形成して、ワイヤー部材２６を介して図中左側の横杆部材６を枠体４１及び扉体４２に連結してもよいし、ワイヤー部材２６の本数やワイヤー部材２６の枠体４１及び扉体４２への取り付け位置等は適宜変更可能である。また、図２１では図中右側の横杆部材６と図中奥側の野縁部材１、１Ａがワイヤー部材２６を介して枠体４１及び扉体４２に連結されているが、図２１において図中左側の横杆部材６や図中手前側の野縁部材１、１Ａをワイヤー部材２６を介して枠体４１及び扉体４２に連結してもよいし、ワイヤー部材２６の本数やワイヤー部材２６の枠体４１及び扉体４２への取り付け位置等は適宜変更可能である。尚、雄螺子部１５は、図３４に示すように、全ネジ等の雄螺子部材１５Ａを金具本体８に溶接等によって固定したものや、図３５に示すように、金具本体８に形成された螺子穴１５Ｂにボルト等の雄螺子部材１５Ｃを金具本体８の下方から螺着したものや、図３６に示すように、金具本体８の中央部分に形成された貫通孔１５Ｄと、貫通孔１５Ｄに螺子穴が連通するように金具本体８の上面に備えたナット１５Ｆと、ナット１５Ｆに螺合するボルト等の雄螺子部材１５Ｇからなるもののように、金具本体８の上方に雄螺子部材１５Ａ、１５Ｃ、１５Ｇを溶接、加締め等の加工方法に限らず一体的に配置したものなら、上記の構成に限定されるものではない。
【符号の説明】
【０１０６】
１  野縁部材
４  消火機器（設備機器）
６  横杆部材
７、７３  野縁取付金具
８  金具本体
９Ａ  第１の立ち上げ部
１０  第１の野縁取付部
１１Ａ  第２の立ち上げ部
１２  第２の野縁取付部
１３  第１の係止部（幅広側係止部）
１４  第２の係止部（幅狭側係止部）
１５  雄螺子部
１６、５２  横杆取付金具
１７Ｆ、６１  一側突出部（保持手段）
１７Ｇ、６８  他側突出部（保持手段）
２０、５９  貫通孔（貫通部）
２１、６６  貫通孔（貫通部）
２２  連結部
２３  スペーサー部材
７６  貫通孔（貫通部）
７６Ａ  螺子溝（雌螺子部）
７８Ａ  螺子穴（貫通部、雌螺子部）
【図１】
2019135372.tif 000003
【図２】
2019135372.tif 000004
【図３】
2019135372.tif 000005
【図４】
2019135372.tif 000006
【図５】
2019135372.tif 000007
【図６】
2019135372.tif 000008
【図７】
2019135372.tif 000009
【図８】
2019135372.tif 000010
【図９】
2019135372.tif 000011
【図１０】
2019135372.tif 000012
【図１１】
2019135372.tif 000013
【図１２】
2019135372.tif 000014
【図１３】
2019135372.tif 000015
【図１４】
2019135372.tif 000016
【図１５】
2019135372.tif 000017
【図１６】
2019135372.tif 000018
【図１７】
2019135372.tif 000019
【図１８】
2019135372.tif 000020
【図１９】
2019135372.tif 000021
【図２０】
2019135372.tif 000022
【図２１】
2019135372.tif 000023
【図２２】
2019135372.tif 000024
【図２３】
2019135372.tif 000025
【図２４】
2019135372.tif 000026
【図２５】
2019135372.tif 000027
【図２６】
2019135372.tif 000028
【図２７】
2019135372.tif 000029
【図２８】
2019135372.tif 000030
【図２９】
2019135372.tif 000031
【図３０】
2019135372.tif 000032
【図３１】
2019135372.tif 000033
【図３２】
2019135372.tif 000034
【図３３】
2019135372.tif 000035
【図３４】
2019135372.tif 000036
【図３５】
2019135372.tif 000037
【図３６】
2019135372.tif 000038